(57)【要約】【課題】吹出口からの空気の吹出先となる対象領域にいる店舗利用者に不快感を与えてしまう虞れのない空調システムを提供すること。【解決手段】導入した外気の温度および湿度を調整し、吹出口を通じて店舗内部の対象領域に調整した空気を吹き出して供給する空気供給手段（２０，３０）を備え、店舗の内部雰囲気を調整するための空調システム１０において、店舗の内部雰囲気の温度を検出する室内温度検出センサＳ１と、対象領域の空気の局所温度を検出する局所温度検出センサＳ２と、対象領域の空気の局所気流速度を検出する風速検出センサＳ３と、検出された内部雰囲気の温度、局所温度並びに局所気流速度に基づいて有効ドラフト温度を算出し、算出した有効ドラフト温度が予め決められた快適温度範囲内となる態様で空気供給手段による空気の温度および風量を制御する制御部８０とを備えたものである。【選択図】        図２
2007225236.tif 000002
【特許請求の範囲】
【請求項１】
導入した外気の温度および湿度を調整し、吹出口を通じて店舗内部の決められた対象領域に調整した空気を吹き出して供給する空気供給手段を備え、前記店舗の内部雰囲気を調整するための空調システムにおいて、
前記店舗の内部雰囲気の温度を検出する第１温度検出手段と、
前記対象領域における空気の局所温度を検出する第２温度検出手段と、
前記対象領域における空気の局所気流速度を検出する気流速度検出手段と、
前記第１温度検出手段により検出された内部雰囲気の温度、前記第２温度検出手段により検出された局所温度並びに前記気流速度検出手段により検出された局所気流速度に基づいて有効ドラフト温度を算出し、算出した有効ドラフト温度が予め決められた快適温度範囲内となる態様で前記空気供給手段による空気の温度および風量を制御する制御手段と
を備えたことを特徴とする空調システム。
【請求項２】
前記空気供給手段は、前記吹出口を通じて吹き出す空気の圧力を均一化させる密閉構造の室を備えたことを特徴とする請求項１に記載の空調システム。
【請求項３】
前記空気供給手段は、前記吹出口を通じて吹き出す空気の圧力を均一化させる袋状ダクトを備えたことを特徴とする請求項１に記載の空調システム。
【発明の詳細な説明】
【技術分野】
【０００１】
本発明は、空調システムに関し、より詳細には、例えばスーパーマーケット、コンビニエンスストア、ショッピングセンター等のような店舗の内部雰囲気を調整するための空調システムの改良に関する。
【背景技術】
【０００２】
従来、例えばスーパーマーケット、コンビニエンスストア、ショッピングセンター等のような店舗の内部雰囲気を調整するための空調システムとして、次のようなものが知られている。
【０００３】
例えば、内部にショーケース等の冷凍冷蔵機器が配設された店舗の室内環境、すなわち室内温度および室内湿度をセンサにて検出し、検出された室内温度および室内湿度と、予め設定されている室内の人の着衣量や活動状況等に関する情報とから、店舗の内部空間の快適性指標値（ＰＭＶ（Predicted  Mean  Vote）値）を演算し、その演算結果に基づいて該店舗内に供給する空気の温度および湿度を調整するようにした空調システムがある（例えば、特許文献１参照）。
【０００４】
【特許文献１】特開２００４−２７８９４２号公報
【発明の開示】
【発明が解決しようとする課題】
【０００５】
ところで、上述したようにショーケース等の冷凍冷蔵機器が配設された店舗では、ショーケースからの冷気漏れが、店舗内部の温湿度分布を変化させてしまう主要因の一つとされている。そのため、店舗内部に空気を吹き出すための吹出口は、ショーケースが配設された領域の天井部分に設けられているのが一般的であり、該吹出口からの空気がショーケースの配設領域に吹き出されるようにされている。従って、ショーケースの周辺にいる店舗利用者が吹出口から吹き出された空気の影響を最も受けることになる。
【０００６】
上述した特許文献１に提案されている空調システムでは、店舗の室内環境に基づいて供給する空気の温度および湿度を調整するようにしているため、ショーケースの周辺では該ショーケースからの冷気漏れによりすでに温湿度分布が変化していても、店舗内部全体の環境（温湿度分布）が変化していなければ、供給する空気の温度および湿度を調整することができない虞れがある。また、ショーケースの配設領域に温度および湿度を調整した空気を吹出口から吹き出すことにより該ショーケースの周辺における温湿度分布はすでに適正な範囲内にあっても、店舗内部全体の環境（例えば温度）が依然として低い場合には、ショーケースの配設領域に対して温度の高い空気を吹き出して供給し続けてしまう虞れがある。これらにより、ショーケースの周辺にいる店舗利用者に対して不快感を与えてしまう虞れがあった。
【０００７】
本発明は、上記実情に鑑みて、吹出口からの空気の吹出先となる対象領域にいる店舗利用者に不快感を与えてしまう虞れのない空調システムを提供することを目的とする。
【課題を解決するための手段】
【０００８】
上記目的を達成するために、本発明の請求項１に係る空調システムは、導入した外気の温度および湿度を調整し、吹出口を通じて店舗内部の決められた対象領域に調整した空気を吹き出して供給する空気供給手段を備え、前記店舗の内部雰囲気を調整するための空調システムにおいて、前記店舗の内部雰囲気の温度を検出する第１温度検出手段と、前記対象領域における空気の局所温度を検出する第２温度検出手段と、前記対象領域における空気の局所気流速度を検出する気流速度検出手段と、前記第１温度検出手段により検出された内部雰囲気の温度、前記第２温度検出手段により検出された局所温度並びに前記気流速度検出手段により検出された局所気流速度に基づいて有効ドラフト温度を算出し、算出した有効ドラフト温度が予め決められた快適温度範囲内となる態様で前記空気供給手段による空気の温度および風量を制御する制御手段とを備えたことを特徴とする。
【０００９】
また、本発明の請求項２に係る空調システムは、上述した請求項１において、前記空気供給手段は、前記吹出口を通じて吹き出す空気の圧力を均一化させる密閉構造の室を備えたことを特徴とする。
【００１０】
また、本発明の請求項３に係る空調システムは、上述した請求項１において、前記空気供給手段は、前記吹出口を通じて吹き出す空気の圧力を均一化させる袋状ダクトを備えたことを特徴とする。
【発明の効果】
【００１１】
本発明に係る空調システムによれば、第１温度検出手段が店舗の内部雰囲気の温度を検出し、第２温度検出手段が対象領域における空気の局所温度を検出し、気流速度検出手段が対象領域における空気の局所気流速度を検出し、制御手段が、第１温度検出手段により検出された内部雰囲気の温度、第２温度検出手段により検出された局所温度並びに気流速度検出手段により検出された局所気流速度に基づいて有効ドラフト温度を算出し、算出した有効ドラフト温度が予め決められた快適温度範囲内となる態様で空気供給手段による空気の温度および風量を制御するので、対象領域における有効ドラフト温度が快適温度範囲となる状態に維持することができ、該対象領域にいる店舗利用者に不快感を与える虞れがないという効果を奏する。
【発明を実施するための最良の形態】
【００１２】
以下に添付図面を参照して、本発明に係る空調システムの好適な実施の形態について詳細に説明する。
【００１３】
図１は、本発明の実施の形態における空調システムの要部を模式的に示したものである。この図１において、空調システム１０は、除湿空調装置２０と、供給ダクト３０と、室内温度検出センサ（第１温度検出手段）Ｓ１と、局所温度検出センサ（第２温度検出センサ）Ｓ２と、風速検出センサ（気流速度検出手段）Ｓ３とを備えている。
【００１４】
除湿空調装置２０は、対象となる店舗１の内部への外気導入による換気、除湿、空気調和を行うものである。ここに、対象となる店舗１には、予め決められた設置領域（対象領域）２に冷凍冷蔵機器３がそれぞれ設けてある。冷凍冷蔵機器３は、例えばショーケースのようなものであり、内部に陳列された商品等を冷却するためのものである。
【００１５】
除湿空調装置２０は、除湿ロータ４０と、除湿処理ユニット５０と、再生処理ユニット６０とを備えて構成してある。
【００１６】
除湿ロータ４０は、いわゆるデシカント除湿機であり、円板状に形成した例えば紙やゼオライト系等の水分吸着素子４１が設けてある。水分吸着素子４１は、モータ（図示せず）の駆動により回転するものである。より詳細に説明すると、水分吸着素子４１は、２つに仕切られた空気の流路を構成する水分吸着領域５２と水分放出領域６２とを交互に通過する態様で回転するものである。すなわち、水分吸着素子４１が回転すると、水分吸着領域５２に位置した部分は水分放出領域６２に移動し、次いで、再び水分吸着領域５２に移動することを順次繰り返すことになる。
【００１７】
除湿処理ユニット５０は、導入した外気（空気）を除湿して店舗１の内部に導入するためのものであり、除湿処理経路５００を有している。
【００１８】
除湿処理経路５００は、外気取入口５０１から取り入れた空気を、空気吐出口５０２を通じて供給ダクト３０に導くための経路であり、予備冷却器５１、除湿ロータ４０の水分吸着領域５２および除湿処理ファン５３が外気取入口５０１側から順に設けてある。
【００１９】
予備冷却器５１は、外気取入口５０１を通じて取り入れた空気を冷却するものである。この予備冷却器５１は、圧縮機５４、凝縮器５５および電子膨張弁５６と冷媒配管を通じて接続されて冷媒循環経路Ｌ１を形成している。より詳細に説明すると、圧縮機５４は、冷媒を圧縮して高温高圧の状態にするものである。凝縮器５５は、圧縮機５４より供給された冷媒、すなわち、圧縮機５４で高温高圧の状態に圧縮された冷媒を凝縮（放熱）させて液化するものである。電子膨張弁５６は、凝縮器５５より供給された冷媒、すなわち、凝縮器５５で放熱させた冷媒を断熱膨張させる、すなわち、該冷媒を減圧して低温低圧の状態に調整するものである。予備冷却器５１は、電子膨張弁５６で低温低圧の状態に断熱膨張させた冷媒を蒸発させるものである。この冷媒が蒸発することにより、予備冷却器５１の周辺を通過する空気は、熱が奪われて冷却される。このような圧縮機５４、凝縮器５５、電子膨張弁５６および予備冷却器５１を冷媒配管を通じて順次接続することにより上記冷媒循環経路Ｌ１を形成している。
【００２０】
除湿ロータ４０の水分吸着領域５２は、通過する空気の水分を水分吸着素子４１に吸着させる領域である。これにより、予備冷却器５１で冷却された空気は、水分吸着領域５２で除湿される。
【００２１】
除湿処理ファン５３は、供給ダクト３０を通じて空気（外気）を店舗１の内部に導入するための送風源となるものである。従って、除湿処理ファン５３により送風された空気は、空気吐出口５０２を通じて供給ダクト３０に至り、供給ダクト３０を通じて店舗１の内部に供給される。
【００２２】
上記除湿処理経路５００には、還気取入口５０３が設けてある。還気取入口５０３は、除湿ロータ４０の水分吸着領域５２の下流側となる該水分吸着領域５２と除湿処理ファン５３との間に設けてあり、還気導入ダクトＤを通じて店舗１の内部の空気を取り入れるための開口である。この還気導入ダクトＤは、店舗１の各配設領域の下部、すなわちショーケースの下部に設けられた空気取入口４を通じて該店舗１の内部の空気を取り入れ、還気取入口５０３まで移送するためのものである。
【００２３】
再生処理ユニット６０は、導入した外気（空気）を加熱して、除湿ロータ４０の水分放出領域６２に通過させることにより、該除湿ロータ４０を構成する水分吸着素子４１に水分を放出させるものであり、再生処理経路６００を有している。
【００２４】
再生処理経路６００は、除湿処理経路５００に並設してあり、再生空気取入口６０１から取り入れた再生空気を、再生空気吐出口６０２を通じて外部に送出するための経路であり、加熱器６１、除湿ロータ４０の水分放出領域６２および再生処理ファン６３が再生空気取入口６０１から順に設けてある。
【００２５】
加熱器６１は、再生空気取入口６０１を通じて取り入れた空気を加熱するものである。この加熱器６１は、配管を通じて加熱源６４およびポンプ６５に接続することにより、例えば湯等の熱媒体が循環する熱媒体循環経路Ｌ２を形成している。加熱源６４は、熱媒体循環経路Ｌ２を流れる湯を加熱するものである。ポンプ６５は、湯が熱媒体循環経路Ｌ２を流れるための動力源となるものである。加熱源６４で加熱された湯がポンプ６５の作用によって熱媒体循環経路Ｌ２を流れることにより、加熱器６１の周辺を通過する空気（再生空気）は加熱される。
【００２６】
除湿ロータ４０の水分放出領域６２は、加熱器６１で加熱された空気が通過することにより、水分吸着素子４１に水分を放出させて乾燥させるための領域である。再生処理ファン６３は、水分放出領域６２を通過した空気を再生空気吐出口６０２を通じて外部に送出するものであり、再生空気を送風する送風源となる。
【００２７】
供給ダクト３０は、除湿空調装置２０の空気吐出口５０２から吐出された空気を店舗１の内部に供給するためのものであり、該除湿空調装置２０と空気供給手段を構成してあり、供給配管３１および供給室３２を備えている。
【００２８】
供給配管３１は、一端が空気吐出口５０２に連通し、他端が供給室３２に連通してあり、空気吐出口５０２から吐出された空気を供給室３２に導くためのものである。
【００２９】
供給室３２は、店舗１の天井裏に形成された密閉構造の室であり、店舗１の天井部５に形成された複数の吹出口３３を介して店舗１内部に設けてある。この供給室３２は、供給配管３１を通じて供給された空気を、複数の吹出口３３を通じて店舗１の内部に吹き出させるものである。ここに、複数の吹出口３３は、それぞれ通過した空気が設置領域２、すなわちショーケースが設置された領域に直接吹き出されるよう、各設置領域２の上方の天井部５に形成してある。
【００３０】
室内温度検出センサＳ１は、店舗１の内部に配設してあり、該店舗１の内部雰囲気の温度、例えば該店舗１の内部の平均温度を検出するものである。この室内温度検出センサＳ１は、検出した温度を平均温度情報として後述する制御部８０に出力するものである。
【００３１】
局所温度検出センサＳ２は、それぞれ設置領域２におけるショーケースの上部域に配設してあり、かかる配設個所での空気の温度、すなわち局所温度を検出するものである。この局所温度検出センサＳ２は、検出した温度を局所温度情報として制御部８０に出力するものである。
【００３２】
風速検出センサＳ３は、局所温度検出センサＳ２と同様に、それぞれ設置領域２におけるショーケースの上部域に配設してあり、かかる配設個所での空気の風速、すなわち局所気流速度を検出するためのものである。この風速検出センサＳ３は、検出した風速を局所気流速度情報として制御部８０に出力するものである。
【００３３】
図２は、本発明の実施の形態における空調システムの制御系を示したブロック図である。この図２において、空調システム１０は、記憶部７０および制御部（制御手段）８０を備えている。
【００３４】
記憶部７０は、各種のデータや、制御部８０による各種処理に必要なデータやプログラムを格納する格納手段（記憶手段）であり、特に本発明に密接に関連するものとしては、比較温度情報７１を備える。比較温度情報７１は、詳細は後述するが、制御部８０にて算出される有効ドラフト温度の快適温度範囲に関する情報である。快適温度範囲としては、例えば−１．５℃以上１．５℃以下とされている。ここで、以下においては、快適温度範囲の下限値をＴ１（℃）とし、上限値をＴ２（℃）として説明する。
【００３５】
制御部８０は、ＯＳ（Operating  System）等の制御プログラム、各種の処理手順等を規定したプログラムおよび所要データを格納するための内部メモリを有し、これらによって種々の処理を実行する処理部であり、特に本発明に密接に関連するものとしては、情報入力部８１、有効ドラフト温度算出部８２、温度比較部８３、圧縮機駆動処理部８４および除湿処理ファン駆動処理部８５を備える。
【００３６】
情報入力部８１は、室内温度検出センサＳ１、局所温度検出センサＳ２および風速検出センサＳ３のそれぞれから出力された情報を入力処理するものである。
【００３７】
有効ドラフト温度算出部８２は、情報入力部８１を通じて入力処理された各種情報、すなわち平均温度情報、局所温度情報および局所気流速度情報と、予め設定された下記式（１）とに基づいて有効ドラフト温度（θ）を算出するものである。
【００３８】
式（１）  θ＝（ｔ−ｔｃ）−８×（ｕ−０．１５）
ここに、θは有効ドラフト温度（℃）、ｔは設置領域（ショーケースの上部域）２における局所温度（℃）、ｔｃは平均温度（℃）、ｕは設置領域２における局所気流速度（ｍ／ｓ）である。
【００３９】
このような有効ドラフト温度（θ）は、室内の温度差とドラフトとに対し快適状態を示す指標値の一つであり、快適温度範囲内（−１．５℃以上１．５℃以下）にあれば、在室者の大多数が快適であると感じるとされている。ここに、ドラフトは、人体に当たって過度の温冷感を与える局所的な気流のことである。
【００４０】
温度比較部８３は、有効ドラフト温度算出部８２を通じて算出された有効ドラフト温度（θ）と、記憶部７０から読み出した比較温度情報７１に含まれる閾値とを比較するものである。より詳細に説明すると、有効ドラフト温度（θ）と下限値Ｔ１とを比較し、必要に応じて有効ドラフト温度（θ）と上限値Ｔ２とを比較するものである。
【００４１】
圧縮機駆動処理部８４は、温度比較部８３による比較結果に基づいて、圧縮機５４の回転数を増大（ＵＰ）させたり、減少（ＤＯＷＮ）させたりするものである。
【００４２】
除湿処理ファン駆動処理部８５は、温度比較部８３による比較結果に基づいて、除湿処理ファン５３の回転数を増大（ＵＰ）させたり、減少（ＤＯＷＮ）させたりするものである。
【００４３】
以上のような空調システム１０では、駆動時に、モータ、圧縮機５４、除湿処理ファン５３、加熱源６４、ポンプ６５および再生処理ファン６３のそれぞれが駆動しており、これにより、水分吸着素子４１が回転するとともに、圧縮機５４で圧縮された冷媒が冷媒循環経路Ｌ１を循環し、加熱源６４で加熱された湯がポンプ６５の作用により熱媒体循環経路Ｌ２を流れる。
【００４４】
除湿処理ファン５３の駆動により、空気（外気）が外気取入口５０１を通じて取り入れられ、取り入れられた空気は、予備冷却器５１に至る。予備冷却器５１に至った空気は、該予備冷却器５１の内部を流れる冷媒が蒸発することにより冷却され、水分吸着領域５２に至る。その一方、除湿処理ファン５３の駆動により、店舗１の内部の室内空気が空気取入口４を通じて取り入れられ、取り入れられた室内空気は、還気導入ダクトＤを通過して還気取入口５０３に至る。
【００４５】
水分吸着領域５２において、空気に含有される水分が水分吸着素子４１の対応する部分に吸着され、空気の湿度が低下する。すなわち、空気は除湿される。また、水分吸着素子４１の水分吸着領域５２に対応する部分に吸着された水分は、水分吸着素子４１の回転とともに、水分吸着領域５２から水分放出領域６２に移動する。
【００４６】
水分吸着領域５２で除湿された空気は、除湿処理ファン５３の駆動により下流側に流れ、還気導入ダクトＤを通過し還気取入口５０３に至った室内空気と混合して混合拡散されて所定の温湿度に調整された後、混合空気として空気吐出口５０２を通じて供給ダクト３０に供給される。
【００４７】
供給ダクト３０に供給された空気（外気）は、供給配管３１を通過した後に供給室３２に至り、供給室３２に至った空気の圧力が均一化される。均一化された空気は、各吹出口３３を通じて店舗１の内部における設置領域２に向けて吹き出される。
【００４８】
一方、再生処理ファン６３が駆動することにより、再生空気取入口６０１を通じて空気（外気）が取り入れられ、取り入れられた空気は、加熱器６１に至る。加熱器６１に至った空気は、加熱器６１の内部を流れる湯により加熱されて高温度の空気になり、水分放出領域６２に至る。
【００４９】
水分放出領域６２において、加熱器６１で加熱された空気が通過することにより、水分吸着素子４１の対応する部分から水分が放出され、該空気の湿度が上昇する。その後、水分放出領域６２を通過した空気は、再生処理ファン６３の駆動により、再生空気吐出口６０２を通じて外部に送出される。
【００５０】
水分吸着素子４１の水分放出領域６２に対応する部分は、水分が放出されて乾燥するとともに、温度が上昇する。この温度が上昇し、かつ乾燥した水分吸着素子４１の対応部分は、水分吸着素子４１の回転とともに、水分放出領域６２から水分吸着領域５２に移動し、上述した動作を繰り返す。
【００５１】
つまり、空調システム１０において、除湿空調装置２０の除湿処理ユニット５０は、導入した空気を予備冷却器５１で冷却し、冷却した空気を水分吸着領域５２に通過させることにより水分吸着素子４１に水分を吸着させて除湿し、除湿した空気に還気導入ダクトＤを通じて別個に導入した店舗１の内部の室内空気を混合して、供給ダクト３０を通じて該店舗１の内部に供給している。また、除湿空調装置２０の再生処理ユニット６０は、空気を加熱して水分放出領域６２に通過させることにより水分吸着素子４１から水分を放出させている。
【００５２】
そして、空調システム１０では、導入した空気を予備冷却器５１で冷却することにより、空気の相対湿度を上昇させることができる。そのため、相対湿度が高い方が除湿量が高くなる紙やゼオライト等の特性を利用して水分吸着素子４１での吸着水分量を増加させることができ、これにより、除湿ロータ４０の除湿量の向上を図ることができる。また、水分吸着領域５２を通過する空気は、除湿される際に発生する吸着熱により温度が上昇することになる。ところが、かかる空気は、水分吸着領域５２の下流側で、還気導入ダクトＤを通じて導入した室内空気と混合されることで、所定の温度に冷却することができる。このように、店舗１の内部に空気を供給するので換気を行うことができ、しかも、所定の温度に冷却・除湿された空気を供給するので店舗１の内部を良好に除湿することができるとともに適温に調整することができる。
【００５３】
また、空調システム１０では、除湿空調装置２０（除湿処理ユニット５０）で除湿処理された空気を供給ダクト３０に供給させ、該供給ダクト３０を構成する供給室３２に導くことで、該供給室３２に導かれた空気の圧力を均一化させることができる。
【００５４】
そして、空調システム１０は、予め設定された時間ごとに次のような動作を行う。図３〜図５は、それぞれ制御部が行う処理内容を示したフローチャートである。これら図３〜図５を参照しながら説明する。
【００５５】
制御部８０は、図３に示すように、有効ドラフト温度算出処理を行う（ステップＳ１００）。かかる有効ドラフト温度算出処理について説明する。
【００５６】
制御部８０は、図４に示すように、情報入力部８１を通じて、室内温度検出センサＳ１、局所温度検出センサＳ２および風速検出センサＳ３からの平均温度情報、局所温度情報および局所気流速度情報の入力の有無を確認する（ステップＳ１０１）。
【００５７】
そして、これらの情報が入力された場合には、制御部８０は、有効ドラフト温度算出部８２を通じて、これら平均温度情報、局所温度情報および局所気流速度情報と、予め設定された上記式（１）とに基づいて有効ドラフト温度（θ）を算出して（ステップＳ１０２）、今回の有効ドラフト温度算出処理を終了して、手順をリターンする。
【００５８】
一方、上記ステップＳ１０１において、平均温度情報、局所温度情報および局所気流速度情報が入力されていない場合には、制御部８０は、上述したような有効ドラフト温度（θ）の算出を行わずに、今回の有効ドラフト温度算出処理を終了して、手順をリターンする。これによれば、今回の処理以前であり、かつ直近に算出された有効ドラフト温度（θ）に基づいた制御が行われていることになる。
【００５９】
上述したような有効ドラフト温度算出処理を行った制御部８０は、図３に示すように、圧縮機・除湿処理ファン駆動処理を行う（ステップＳ２００）。かかる圧縮機・除湿処理ファン駆動処理について説明する。
【００６０】
制御部８０は、図５に示すように、有効ドラフト温度算出部８２を通じて、有効ドラフト温度（θ）の算出の有無を確認し（ステップＳ２０１）、有効ドラフト温度（θ）が算出された場合には、温度比較部８３を通じて記憶部７０から比較温度情報７１の読み出しを行い、有効ドラフト温度算出部８２を通じて算出した有効ドラフト温度（θ）が、比較温度情報７１に含まれる快適温度範囲の下限値Ｔ１を下回っているか否かを判断する（ステップＳ２０２）。有効ドラフト温度（θ）が下限値Ｔ１を下回っている場合には、制御部８０は、冷却量増大処理を行う（ステップＳ２０３）。より詳細に説明すると、冷却量増大処理は、圧縮機５４の回転数および除湿処理ファン５３の回転数を増大させる処理であり、具体的には、制御部８０が、圧縮機駆動処理部８４を通じて圧縮機５４の回転数を増大させ、かつ除湿処理ファン駆動処理部８５を通じて除湿処理ファン５３の回転数を増大させる。これによれば、除湿空調装置２０の除湿処理ユニット５０における予備冷却器５１での冷却能力を上げて、吹出口３３から設置領域２に吹き出される空気の温度を低下させることができ、しかも吹出口３３から設置領域２に吹き出される空気の気流速度を増大させることができる。そのため、設置領域２における温度を低下させ、かつ風速を増大させることになり、有効ドラフト温度（θ）を低下させることができる。その後、今回の圧縮機・除湿処理ファン駆動処理を終了して、手順をリターンする。
【００６１】
上記ステップＳ２０２において、有効ドラフト温度（θ）が快適温度範囲の下限値Ｔ１を下回っていないと判断した場合には、制御部８０は、温度比較部８３を通じて、有効ドラフト温度（θ）が快適温度範囲の上限値Ｔ２を超えているか否かを判断する（ステップＳ２０４）。有効ドラフト温度（θ）が上限値Ｔ２を超えている場合には、制御部８０は、冷却量減少処理を行う（ステップＳ２０５）。より詳細に説明すると、冷却量減少処理は、圧縮機５４の回転数および除湿処理ファン５３の回転数を減少させる処理であり、具体的には、制御部８０が、圧縮機駆動処理部８４を通じて圧縮機５４の回転数を減少させ、かつ除湿処理ファン駆動処理部８５を通じて除湿処理ファン５３の回転数を減少させる。これによれば、除湿空調装置２０の除湿処理ユニット５０における予備冷却器５１での冷却能力を下げて、吹出口３３から設置領域２に吹き出される空気の温度を上昇させることができ、しかも吹出口３３から設置領域２に吹き出される空気の気流速度を減少させることができる。そのため、設置領域２における温度を上昇させ、かつ風速を減少させることになり、有効ドラフト温度（θ）を上昇させることができる。その後、今回の圧縮機・除湿処理ファン駆動処理を終了して、手順をリターンする。
【００６２】
上記ステップＳ２０４において、有効ドラフト温度（θ）が上限値Ｔ２を超えていない場合、すなわち有効ドラフト温度（θ）が快適温度範囲内にある場合（Ｔ１≦θ≦Ｔ２）には、上述したような冷却量増大処理および冷却量減少処理を行わずに、そのままの運転状態を保持して、今回の圧縮機・除湿処理ファン駆動処理を終了し、手順をリターンする。これによれば、現時点において設置領域２は快適温度範囲内にあることになる。
【００６３】
一方、上記ステップＳ２０１において、有効ドラフト温度（θ）の算出がされていない場合には、制御部８０は、今回の圧縮機・除湿処理ファン駆動処理を終了して、手順をリターンする。
【００６４】
そして、そのような圧縮機・除湿処理ファン駆動処理を行った後、制御部８０は、今回の処理を終了する。
【００６５】
以上説明したような空調システム１０においては、制御部８０が、室内温度検出センサＳ１により検出された平均温度、局所温度検出センサＳ２により検出された局所温度および風速検出センサＳ３により検出された局所気流速度に基づき有効ドラフト温度（θ）を算出し、算出した有効ドラフト温度（θ）が快適温度範囲の下限値Ｔ１を下回っている場合には、冷却量増大処理を行う一方、有効ドラフト温度（θ）が快適温度範囲の上限値Ｔ２を超えている場合には、冷却量減少処理を行い、さらに有効ドラフト温度（θ）が快適温度範囲内にある場合には、冷却量増大処理および冷却量減少処理を行わずにそのままの運転状態を保持する。つまり、制御部８０は、算出した有効ドラフト温度（θ）が快適温度範囲内となる態様で圧縮機５４および除湿処理ファン５３の駆動を制御している。これにより、冷凍冷蔵機器３が配設される設置領域２における有効ドラフト温度（θ）が快適温度範囲となる状態に維持することができ、該設置領域２にいる店舗利用者に不快感を与える虞れがない。
【００６６】
上記空調システム１０によれば、除湿空調装置２０で温湿度が調整された空気が供給ダクト３０に供給され、該供給ダクト３０の供給室３２で該空気の圧力を均一化させることができるので、各吹出口３３から店舗１の内部に吹き出す空気の風量の均一化を図ることができる。特に供給室３２を天井裏に形成したことにより、天井裏でカビの発生等を抑制することができ、衛生的である。
【００６７】
以上本発明の好適な実施の形態について説明したが、本発明はこれに限定されるものではなく種々の変更を行うことができる。図６は、本発明の実施の形態における空調システムの変形例を模式的に示したものである。尚、図１における空調システム１０と同一の構成を有するものには、同一の符号を付してその説明を省略する。
【００６８】
図６において、空調システム１０は、除湿空調装置２０と、供給ダクト３０′と、室内温度検出センサＳ１と、局所温度検出センサＳ２と、風速検出センサＳ３とを備えている。供給ダクト３０′は、除湿空調装置２０の空気吐出口５０２から吐出された空気を店舗１の内部に供給するためのものであり、該除湿空調装置２０と空気供給手段を構成してあり、供給配管３１および供給室３２を備えている。供給室３２は、店舗１の天井裏に形成された室であり、店舗１の天井部５に形成された複数の吹出口３３を介して店舗１内部に設けてある。この供給室３２の内部には、袋状ダクト３４が設けてある。この袋状ダクト３４は、供給配管３１に連接してあるとともに、複数の吹出口３３にも連接された袋状のものである。
【００６９】
このような構成によれば、除湿空調装置２０で温湿度が調整された空気が袋状ダクト３４に供給され、該袋状ダクト３４にて該空気の圧力を均一化させ、その後に各吹出口３３から店舗１の内部に空気を吹き出すことができる。そして、袋状ダクト３４は、密閉構造のため、天井裏の埃等が進入する虞れがなく、かかる埃等が店舗１の内部に進入する虞れがない。
【００７０】
また、上述した実施の形態では、冷却量増大処理および冷却量減少処理は、ともに圧縮機５４の回転数および除湿処理ファン５３の回転数を変更させていたが、本発明では、これに限定されず、冷却量増大処理および冷却量減少処理は、圧縮機の回転数および除湿処理ファンの回転数の少なくとも一方を変更させるようにしても良い。
【産業上の利用可能性】
【００７１】
以上のように、本発明は、例えばスーパーマーケット、コンビニエンスストア、ショッピングセンター等の店舗の内部雰囲気を調整するための空調システムとして有用である。
【図面の簡単な説明】
【００７２】
【図１】本発明の実施の形態における空調システムの要部を模式的に示した模式図である。
【図２】本発明の実施の形態における空調システムの制御系を示したブロック図である。
【図３】図２における制御部の処理内容を示したフローチャートである。
【図４】図２における制御部の処理内容を示したフローチャートである。
【図５】図２における制御部の処理内容を示したフローチャートである。
【図６】本発明の実施の形態における空調システムの変形例を模式的に示した模式図である。
【符号の説明】
【００７３】
１０      空調システム
２０      除湿空調装置
３０      供給ダクト
３２      供給室
３３      吹出口
３４      袋状ダクト
５０      除湿処理ユニット
５３      除湿処理ファン
５４      圧縮機
６０      再生処理ユニット
７０      記憶部
７１      比較温度情報
８０      制御部
８１      情報入力部
８２      有効ドラフト温度算出部
８３      温度比較部
８４      圧縮機駆動処理部
８５      除湿処理ファン駆動処理部
Ｓ１      室内温度検出センサ
Ｓ２      局所温度検出センサ
Ｓ３      風速検出センサ
【図１】
2007225236.tif 000003
【図２】
2007225236.tif 000004
【図３】
2007225236.tif 000005
【図４】
2007225236.tif 000006
【図５】
2007225236.tif 000007
【図６】
2007225236.tif 000008